(57)【要約】【課題】コネクタ嵌合口に嵌合されたプラグにこじりが加わった場合でも、基板実装強度を十分に確保することができるＵＳＢコネクタを提供する。【解決手段】シールドケース１には切欠部７を形成し、この切欠部７にハウジング２が嵌合されて、ハウジング２の両側面を挟持するようにし、かつ、シールドケース１の前端にはパネル片１１を形成し、ハウジング２には、上部にねじ孔付きのパネルねじ留め部材２４を一体に形成し、パネル片１１をパネルねじ留め部材２４に当接させ、留めねじ３１を介してパネル片１１をパネルねじ留め部材２４の前面に固定する。【選択図】図１
2011238507.tif 000002
【特許請求の範囲】
【請求項１】
一端部にコネクタ嵌合口を有するシールドケースと、コンタクトが設けられ前記シールドケース内に収装されるハウジングとを備えたＵＳＢコネクタにおいて、
前記シールドケースは、前記ハウジングが嵌合されて該ハウジングの両側面を挟持する切欠部が形成され、かつ、前端にはパネル片が形成されたものであり、
前記ハウジングは、上部にねじ孔付きのパネルねじ留め部材が一体に形成されたものであり、
前記パネル片を前記パネルねじ留め部材に当接させ、留めねじを介して前記パネル片を前記パネルねじ留め部材の前面に固定するようにしたことを特徴とするＵＳＢコネクタ。
【請求項２】
前記パネル片には係止片が突出形成され、前記パネルねじ留め部には該係止片が係止される係止孔が形成されていることを特徴とする請求項１記載のＵＳＢコネクタ。
【請求項３】
前記切欠部の前端には、前記シールドケースに収装されたハウジングの圧入孔に圧入される係止片が形成されていることを特徴とする請求項１記載のＵＳＢコネクタ。
【請求項４】
前記シールドケースの両側に舌片が形成され、前記ハウジングには、前記シールドケースが収装されたとき前記舌片が係止されてシールドケースの両側方への開きを防止する舌片係合孔が形成されていることを特徴とする請求項１ないし３のいずれかに記載のＵＳＢコネクタ。
【請求項５】
前記切欠部の両側縁には、前記ハウジングに形成されたレールガイド溝に係合されるレール部が形成されていることを特徴とする請求項１ないし４のいずれかに記載のＵＳＢコネクタ。
【請求項６】
前記コネクタ嵌合口が、基板実装面に対して平行方向に開口するライトアングルタイプであることを特徴とする請求項１ないし５のいずれかに記載のＵＳＢコネクタ。
【請求項７】
前記コネクタ嵌合口が、基板実装面に対して直交方向に開口するバーチカルタイプであることを特徴とする請求項１ないし５のいずれかに記載のＵＳＢコネクタ。
【発明の詳細な説明】
【技術分野】
【０００１】
本発明は、シールドケースの内部に、コンタクトが設けられた絶縁性のハウジングを収装したジャックタイプのＵＳＢコネクタに関するものである。
【背景技術】
【０００２】
従来、金属性のシールドケースの内部に、複数のコンタクトが設けられた絶縁性のハウジングを収装してなるジャックタイプのＵＳＢコネクタが知られている（例えば特許文献１を参照）。
【先行技術文献】
【特許文献】
【０００３】
【特許文献１】特開２０１０−９９７４号公報
【発明の概要】
【発明が解決しようとする課題】
【０００４】
上記のＵＳＢコネクタは、絶縁性のハウジングを金属性シールドケースに嵌合させて収装しただけ構造であるため、基板実装強度が十分に確保できず、基板に実装されたシールドケースのコネクタ嵌合口にプラグを嵌合させた状態で、プラグにこじりが加わった場合、シールドケースが基板上で動きやすいという問題があった。
【０００５】
本発明は、上記課題を解決するためになされたもので、コネクタ嵌合口に嵌合されたプラグにこじりが加わった場合でも、基板実装強度を十分に確保することができるＵＳＢコネクタを提供することを目的とする。
【課題を解決するための手段】
【０００６】
上記課題を解決するため、請求項１記載のＵＳＢコネクタは、一端部にコネクタ嵌合口を有するシールドケースと、コンタクトが設けられ前記シールドケース内に収装されるハウジングとを備えたＵＳＢコネクタにおいて、前記シールドケースは、前記ハウジングが嵌合されて該ハウジングの両側面を挟持する切欠部が形成され、かつ、前端にはパネル片が形成されたものであり、  前記ハウジングは、上部にねじ孔付きのパネルねじ留め部材が一体に形成されたものであり、  前記パネル片を前記パネルねじ留め部材に当接させ、留めねじを介して前記パネル片を前記パネルねじ留め部材の前面に固定するようにしたことを特徴とするものである。
【０００７】
請求項２記載のＵＳＢコネクタは、請求項１記載のＵＳＢコネクタであって、前記パネル片には係止片が突出形成され、前記パネルねじ留め部には該係止片が係止される係止孔が形成されていることを特徴とするものである。
【０００８】
請求項３記載のＵＳＢコネクタは、請求項１又は２記載のＵＳＢコネクタであって、前記切欠部の前端には、前記シールドケースに収装されたハウジングの圧入孔に圧入される係止爪片が形成されていることを特徴とするものである。
【０００９】
請求項４記載のＵＳＢコネクタは、請求項１ないし３のいずれかに記載のＵＳＢコネクタであって、前記シールドケースの両側に舌片が形成され、前記ハウジングには、前記シールドケースが収装されたとき前記舌片が係止されてシールドケースの両側方への開きを防止する舌片係合孔が形成されていることを特徴とするものである。
【００１０】
請求項５記載のＵＳＢコネクタは、請求項１ないし４のいずれかに記載のＵＳＢコネクタであって、前記切欠部の両側縁には、前記ハウジングに形成されたレールガイド溝に係合されるレール部が形成されていることを特徴とするものである。
【００１１】
請求項６記載のＵＳＢコネクタは、請求項１ないし５のいずれかに記載のＵＳＢコネクタであって、前記コネクタ嵌合口が、基板実装面に対して平行方向に開口するライトアングルタイプであることを特徴とするものである。
【００１２】
請求項７記載のＵＳＢコネクタは、請求項１ないし５のいずれかに記載のＵＳＢコネクタであって、前記コネクタ嵌合口が、基板実装面に対して直交方向に開口するバーチカルタイプであることを特徴とするものである。
【発明の効果】
【００１３】
本発明によれば、ハウジングに一体に形成されたパネルねじ留め部材に、シールドケースのパネル片をねじ留め固定するようにしたので、シールドケースの基板実装強度を十分に確保することができ、コネクタ嵌合口に嵌合されたプラグにこじりが加わった場合でも、シールドケースが基板上で動くのを防止することができる。
【図面の簡単な説明】
【００１４】
【図１】本発明のＵＳＢコネクタの一実施形態を示す分解斜視図である。
【図２】本発明のＵＳＢコネクタの完成状態の正面側斜視図である。
【図３】本発明のＵＳＢコネクタの完成状態の背面側斜視図である。
【図４】本発明のＵＳＢコネクタの正面図である。
【発明を実施するための形態】
【００１５】
以下、本発明のＵＳＢコネクタの実施形態を図面に基づいて詳述する。
図１は、本発明のＵＳＢコネクタの一実施形態を示す分解斜視図、図２は、ＵＳＢコネクタの完成状態の正面側斜視図、図３は、ＵＳＢコネクタの完成状態の背面側斜視図、図４は、正面図である。
【００１６】
図１に示すように、１は、金属性のシールドケース、２は、絶縁性のハウジングである。
シールドケース１は、略角筒状をなす金属性の本体部３を有し、この本体部３の左右側壁の前部に、切起しにより弾性支持片４a、４ｂが形成され、その後部に弾性係止片５が形成されている。弾性係止片５の上部には、内方に向くガイド凸部９が形成されている。シールドケース１の本体部３の後部（ハウジング２側）の上面には、左右のレール部６を残して切欠部が７形成され、切欠部７の後端には、切欠部７に向けて突出する係止片８が形成されている。係止片８の両側縁には爪片８aが突設されている。本体部３の上部には、切欠部７の前部に位置して上部弾性支持片１０が形成されている。本体部３の前端に開口するコネクタ嵌合口３aの上端には、パネル片１１が形成されている。パネル片１１には留め孔１２が形成され、上端には係止片１３が形成されている。係止片１３の両側縁には爪片１３aが突設されている。本体部３の後端部にはＬ字形状の切起しの舌片１４が形成されている。
【００１７】
ハウジング２は、略角筒状の本体部１６と、その前端部に形成されたコンタクト保持部１７とを有している。本体部１６の後部側壁には、前後方向に向く舌片ガイド溝１８が形成され、舌片ガイド溝１８の後端には舌片係合孔１９が形成されている。舌片ガイド溝１８の上部にも係止片ガイド溝２０が形成され、さらに、上端部にもレール６をガイドするレールガイド溝２１が形成され、レールガイド溝２１の下部には凸部ガイド溝２２が形成されている。コンタクト保持部１７の片側（図１、図４の右側）に、外方に向けてく字形状に突出されたコンタクト２３が複数本（図示では４本）保持されている。
【００１８】
本体部１６およびコンタクト保持部１７の上部には、パネルねじ留め部材２４が一体的に設けられている。このパネルねじ留め部材２４は、前面板２４aにねじ孔２５形成され、この前面板２４aの上端部に、前方に突出した突出面２６が形成され、この突出面２６に係止孔２８が形成されたものである。
【００１９】
図２に示すように、シールドケース１の後部からハウジング２を挿入し、シールドケース１内に収装する。挿入する際、弾性係止片５により係止片ガイド溝２０がガイドされつつ移動し、収装完了状態では、弾性係止片５は係止片ガイド溝２０の後部の係止段部３３に係止される。また、舌片１４は舌片ガイド溝１８がガイドされ、最終的に舌片１４は舌片係合孔１９に係合され、これにより、シールドケース１の本体部３の左右への開きが防止されるようになっている。また、レール部６はハウジング２のレールイド溝２１にガイドされ、最終的には、係止片８は、ハウジング２の本体部の前面に形成された圧入孔３０に圧入され、爪片８aが圧入孔３０に係止される。パネル片１１に形成された係止片１３は係止孔２８に挿入され、爪片１３aが係止孔２８に係止される。
【００２０】
コンタクト保持部１７の左側面１７aに、シールドケース１の左側の弾性支持片４aが摺接しつつ移動し、最終的には、左側の弾性支持片４aはコンタクト保持部１７に当接し、右側の弾性支持片４ｂはコンタクトに間隙をおいて対向する（図４参照）。
【００２１】
図２に示すように、パネル片１１は、パネルねじ留め部材２４の前面部２４aに当接し、上端の係止片１３は係止孔２８に係止される。この状態で、留め孔１２に留めねじ３１を挿入し、ねじ孔２５にねじ込むことにより、パネル片１１はパネルねじ留め部材２４の前面部２４aに固定される。
【００２２】
シールドケース１の本体部３は脚片３２を介して配線基板（図示せず）に実装され、ハウジング２のコンタクト２３は導線（図示せず）に接続されている。
【００２３】
以上のように、本発明のＵＳＢコネクタは、ハウジング２の本体部３に一体的に形成したパネルねじ留め部材２４にシールドケース１のパネル片１１をねじ留めするとともに、シールドケース１の切欠部７でハウジング２の両側面を挟持することにより、シールドケース１はハウジング２に確実に固定され、コネクタ嵌合口３aに嵌合されたプラグにこじりが加わった場合でも、基板実装強度を十分に確保することができる。
【００２４】
なお、図示の実施形態のＵＳＢコネクタは、シールドケース１の下部に設けた脚片３１を基板に取り付けた、コネクタ嵌合口３aが基板実装面に対して平行方向に開口するライトアングルタイプのものを示しているが、コネクタ嵌合口３aが、基板実装面に対して直交方向に開口するバーチカルタイプのものにも適用可能である。なお、ライトアングルタイプには図示のよう縦型のものと、本体３の側面が基板に接する伏型のものがあり、本発明は基板実装強度が問題となっている縦型に有効であるが、伏型にも適用可能であることはいうまでもない。また、バーチカルタイプのものはやはり基板実装強度が問題となっており、本発明のＵＳＢコネクタはバーチカルタイプにも有効である。
【符号の説明】
【００２５】
１    シールドケース
２    ハウジング
３a      コネクタ嵌合口
４a、４ｂ    コンタクト    
７    切欠部
６    レール部
８    係止片
１１    パネル片
１３    係止片
１４    舌片
１９    舌片係合孔
２１    レールガイド溝
２４    パネルねじ留め部材
２５    ねじ孔
２８    係止孔
３０    圧入孔
３１    留めねじ
【図１】
2011238507.tif 000003
【図２】
2011238507.tif 000004
【図３】
2011238507.tif 000005
【図４】
2011238507.tif 000006